(57)【要約】【課題】不意な操作に対して待機状態を維持できるマルチディスプレイシステム、表示制御方法、表示制御プログラム、記録媒体及び画像出力装置を提供すること。【解決手段】複数の画像表示装置と、複数の画像形成領域を有するメモリ上で画像を形成し、各画像形成領域上の画像情報を対応する画面を有する画像表示装置に出力する画像出力装置と、オブジェクトを操作する操作装置とを備え、画像出力装置は、オブジェクト移動部と、画面を待機状態に設定する待機状態設定部と、オブジェクトが位置する画面に隣接する待機状態の画面に対応する画像形成領域において、当該オブジェクトが位置する画面に隣接する領域に緩衝領域を設定する緩衝領域設定部５１６１３と、緩衝領域をオブジェクトが所定回数通過したかを判定する回数判定部５１６１９と、通過したと判定されると、当該画面の待機状態を解除する第一解除部（状態変更部）５１６１Ａとを備える。【選択図】図９
2008152377.tif 000002
【特許請求の範囲】
【請求項１】
入力する画像情報に応じた画像を表示する画面をそれぞれ有する複数の画像表示装置と、前記各画面に表示される画像がそれぞれ形成される複数の画像形成領域を有するメモリ上で、第一オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記第一オブジェクトを操作する操作装置とを備えたマルチディスプレイシステムであって、
前記画像出力装置は、
前記操作装置に対する操作に応じて前記第一オブジェクトを前記メモリ上で形成される前記表示画像上で移動させる第一オブジェクト移動部と、
所定の前記画面を待機状態に設定する待機状態設定部と、
前記複数の画像形成領域のうち、前記第一オブジェクトが位置する前記画面に隣接し、かつ、待機状態に設定された他の前記画面に対応する画像形成領域において、前記第一オブジェクトが位置する前記画面に隣接する領域に緩衝領域を設定する緩衝領域設定部と、
前記緩衝領域を前記第一オブジェクトが所定回数通過したか否かを判定する回数判定部と、
前記第一オブジェクトが前記緩衝領域を前記所定回数通過したと判定されると、当該緩衝領域を有する前記画像形成領域に対応する前記他の画面に設定された待機状態を解除する第一解除部とを備えることを特徴とするマルチディスプレイシステム。
【請求項２】
請求項１に記載のマルチディスプレイシステムにおいて、
前記第一オブジェクトは、ポインタであることを特徴とするマルチディスプレイシステム。
【請求項３】
請求項１または請求項２に記載のマルチディスプレイシステムにおいて、
前記画像出力装置は、
前記操作装置に対する操作に応じて、前記表示画像に含まれる第二オブジェクトを移動させる第二オブジェクト移動部と、
前記第二オブジェクトが位置する前記画面に隣接し、かつ、前記待機状態に設定された他の前記画面に対応する前記画像形成領域に前記第二オブジェクトの少なくとも一部が侵入したか否かを判定する移動範囲判定部と、
前記第二オブジェクトが前記画像形成領域に侵入したと判定されると、当該画像形成領域に対応する前記他の画面に設定された待機状態を解除する第二解除部とを備えることを特徴とするマルチディスプレイシステム。
【請求項４】
請求項３に記載のマルチディスプレイシステムにおいて、
前記第二オブジェクトは、所定の処理結果が表示されるコンテンツ領域であることを特徴とするマルチディスプレイシステム。
【請求項５】
請求項３または請求項４に記載のマルチディスプレイシステムにおいて、
前記第二オブジェクトを操作する他の操作装置を備え、
前記画像出力装置は、
前記他の操作装置に対する操作に応じて、選択された前記第二オブジェクトが位置する前記画像形成領域に対応する前記画面に設定された待機状態を解除する第三解除部を備えることを特徴とするマルチディスプレイシステム。
【請求項６】
入力する画像情報に応じた画像を表示する画面をそれぞれ有する複数の画像表示装置と、前記各画面に表示される画像がそれぞれ形成される複数の画像形成領域を有するメモリ上で、オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記オブジェクトを操作する操作装置とを備えたマルチディスプレイシステムに用いられ、前記複数の画像表示装置の表示状態を制御する表示制御方法であって、
所定の前記画面を待機状態に設定する待機状態設定ステップと、
前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定ステップと、
前記緩衝領域を前記オブジェクトが所定回数通過したか否かを判定する回数判定ステップと、
前記オブジェクトが前記緩衝領域を前記所定回数通過したと判定されると、当該緩衝領域を有する前記画像形成領域に対応する前記他の画面に設定された待機状態を解除する解除ステップとを有することを特徴とする表示制御方法。
【請求項７】
入力する画像情報に応じた画像を表示する画面をそれぞれ有する複数の画像表示装置と、前記各画面に表示される画像が形成される複数の画像形成領域を有するメモリ上で、オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記オブジェクトを操作する操作装置とを備えたマルチディスプレイシステムの前記画像出力装置により実行され、前記複数の画像表示装置の表示状態を制御する表示制御プログラムであって、
前記画像出力装置に、
所定の前記画面を待機状態に設定する待機状態設定ステップと、
前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定ステップと、
前記緩衝領域を前記オブジェクトが所定回数通過したか否かを判定する回数判定ステップと、
前記オブジェクトが前記緩衝領域を前記所定回数通過したと判定されると、当該緩衝領域を有する前記画像形成領域に対応する前記他の画面に設定された待機状態を解除する解除ステップとを実行させることを特徴とする表示制御プログラム。
【請求項８】
請求項７に記載の表示制御プログラムをコンピュータ読取可能に記録したことを特徴とする記録媒体。
【請求項９】
入力する画像情報に応じた画像を表示する画面をそれぞれ有する複数の画像表示装置と、当該複数の画像表示装置の各画面によって表示される表示画面に含まれるオブジェクトを操作する操作装置とを備えたマルチディスプレイシステムに用いられ、前記各画面に表示される画像が形成される複数の画像形成領域を有するメモリ上で、前記表示画像を形成し、前記各画像形成領域にて形成された前記表示画像に係る部分画像の画像情報を、当該画像形成領域に対応する前記画面を有する前記画像表示装置にそれぞれ出力する画像出力装置であって、
前記操作装置に対する操作に応じて前記オブジェクトを前記メモリ上で形成される前記表示画像上で移動させるオブジェクト移動部と、
所定の前記画面を待機状態に設定する待機状態設定部と、
前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定部と、
前記緩衝領域を前記オブジェクトが所定回数通過したか否かを判定する回数判定部と、
前記オブジェクトが前記緩衝領域を前記所定回数通過したと判定されると、当該緩衝領域を有する前記画像形成領域に対応する前記他の画面に設定された待機状態を解除する解除部とを備えることを特徴とする画像出力装置。
【発明の詳細な説明】
【技術分野】
【０００１】
本発明は、複数の画像表示装置と、画像出力装置とを備えるマルチディスプレイシステム、当該マルチディスプレイシステムに用いられる表示制御方法、表示制御プログラム、当該表示制御プログラムを記録した記録媒体、及び、前記マルチディスプレイシステムに用いられる画像出力装置に関する。
【背景技術】
【０００２】
従来、複数の画像表示装置と、当該各画像表示装置に係る画像情報を出力する画像出力装置とを備え、当該各画像表示装置が有する複数の画面に表示された部分画像を組み合わせることで、１つの画像を表示するマルチディスプレイシステムが知られている。このような画像表示装置として、プロジェクタや、液晶等の各種ディスプレイを挙げることができ、また、画像出力装置として、ＰＣ（Personal Computer）等を挙げることができる。
【０００３】
ところで、このようなマルチディスプレイシステムにおいては、画像表示中に、使用者の視線が向いていない画面（表示領域）や、アクティブなオブジェクト（例えば、ウィンドウ領域）が配置されていない画面（表示領域）が存在する場合があるが、このような場合、電力消費が大きくなるという問題がある。一方、マウス等のポインティングデバイスへの入力操作が所定時間行われないと、画像表示装置の電源をオフする制御方法が知られているが、このような制御方法では、観察者が観察しているにも関らず、画像表示装置の電源がオフされてしまうという問題がある。
このような問題に対して、使用者の視線方向を検出し、当該視線方向に応じて画像表示装置の省電力制御を行う省電力制御方法が知られている（例えば、特許文献１参照）。
【０００４】
この特許文献１に記載の省電力制御方法では、ＣＣＤカメラにより使用者の顔を映像データとして取り込み、当該映像データ（使用者の瞳の方向、顔の向き及び使用位置）から、情報処理装置が使用者の視線位置を特定する。そして、当該視線位置に基づいて、情報処理装置が、使用者が所定時間見ていないと判定した表示画面に係る表示装置の電源、または、当該表示装置のバックライト電源を落とす。これにより、表示しなくてもよい表示装置の省電力化を図ることができ、ひいては、マルチディスプレイシステム全体の省電力化を図ることができる。
【０００５】
【特許文献１】特開２００１−３５０５４９号公報
【発明の開示】
【発明が解決しようとする課題】
【０００６】
しかしながら、特許文献１に記載の省電力制御方法では、使用者の視線方向を検出するために、ＣＣＤカメラ等の検出手段が必要となり、構成が複雑化するだけでなく、マルチディスプレイシステム全体が高価になるという問題がある。また、使用者の視線方向及び予め設定された視線領域に基づく偏差を算出する必要があるため、処理が煩雑となるという問題がある。
【０００７】
本発明の目的は、使用者の不意な操作に対して待機状態を維持することができるマルチディスプレイシステム、表示制御方法、表示制御プログラム、記録媒体、及び画像出力装置を提供することである。
【課題を解決するための手段】
【０００８】
前記した目的を達成するために、本発明のマルチディスプレイシステムは、入力する画像情報に応じた画像を表示する画面をそれぞれ有する複数の画像表示装置と、前記各画面に表示される画像がそれぞれ形成される複数の画像形成領域を有するメモリ上で、第一オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記第一オブジェクトを操作する操作装置とを備えたマルチディスプレイシステムであって、前記画像出力装置は、前記操作装置に対する操作に応じて前記第一オブジェクトを前記メモリ上で形成される前記表示画像上で移動させる第一オブジェクト移動部と、所定の前記画面を待機状態に設定する待機状態設定部と、前記複数の画像形成領域のうち、前記第一オブジェクトが位置する前記画面に隣接し、かつ、待機状態に設定された他の前記画面に対応する画像形成領域において、前記第一オブジェクトが位置する前記画面に隣接する領域に緩衝領域を設定する緩衝領域設定部と、前記緩衝領域を前記第一オブジェクトが所定回数通過したか否かを判定する回数判定部と、前記第一オブジェクトが前記緩衝領域を前記所定回数通過したと判定されると、当該緩衝領域を有する前記画像形成領域に対応する前記他の画面に設定された待機状態を解除する第一解除部とを備えることを特徴とする。
【０００９】
ここで、画像表示装置は、例えば、液晶、プラズマ、有機ＥＬ（Electroluminescence）及びＣＲＴ（Cathode Ray Tube）等の各種ディスプレイや、プロジェクタ等を例示することができる。また、画像出力装置としては、ＰＣ（Personal Computer）や、ＣＤ（Compact Disc）及びＤＶＤ（Digital Versatile Disc）等のディスク型記録媒体を再生可能に構成された再生装置等を例示することができる。さらに、操作装置としては、マウスやトラックボール等のポインティングデバイスを例示することができる。
また、待機状態とは、表示画像に係る部分画像が非表示となる状態であり、例えば、画像情報が入力しない場合に省電力状態となるように画像表示装置が設定されている場合には、当該画像表示装置に部分画像に係る画像情報を出力しない状態をいう。さらに、待機状態に設定される画面としては、第一オブジェクトが所定時間位置していない画像形成領域に対応する画面とすることができる。
【００１０】
本発明によれば、メモリ上の複数の画像形成領域のうち、第一オブジェクトが位置する部分画像が表示される画面に隣接し、かつ、待機状態に設定された他の画面に対応する画像形成領域に、操作装置に対する入力操作に応じて、第一オブジェクト移動部が当該第一オブジェクトを移動させた際に、緩衝領域設定部により当該画像形成領域に設定された緩衝領域を第一オブジェクトが所定回数通過したか否かを、回数判定部が判定する。そして、当該回数判定部により、第一オブジェクトが緩衝領域を所定回数通過したと判定された場合には、第一解除部が、当該緩衝領域が設定された画像形成領域に対応する他の画面の待機状態を解除する。
【００１１】
これによれば、第一オブジェクトが位置する画面に隣接する他の画面に設定された待機状態は、第一オブジェクトが、当該他の画面に対応する画像形成領域に設定された緩衝領域を所定回数通過した場合に解除される。このため、操作装置を誤って操作した場合や、当該操作装置への意図せぬ操作により、第一オブジェクトが、現在位置している画面から当該画面に隣接する他の画面に移動した場合でも、当該他の画面に対応する画像形成領域の緩衝領域を所定回数通過しない場合には、当該他の画面に設定された待機状態を解除しないようにすることができる。従って、前述の特許文献１に記載の省電力制御方法のような高価な検出手段を必要とせず、簡易な構成で、画面に設定された待機状態を維持することができ、これにより、マルチディスプレイシステム全体の消費電力を低減することができる。
【００１２】
本発明では、前記第一オブジェクトは、ポインタであることが好ましい。
ここで、ポインタとは、操作装置に対する入力操作に応じて表示画像上を移動し、他のオブジェクトの選択等を行う記号を指す。
これによれば、ポインタを第一オブジェクトとして設定し、当該ポインタが、現在位置する画面から、当該画面に隣接する他の画面に対応する画像形成領域に設定された緩衝領域を所定回数通過すると、当該他の画面の待機状態が解除される。このため、表示画像上での移動頻度の高いポインタを、使用者が意図せず移動させた場合でも、確実に当該他の画面の待機状態を維持することができる。従って、マルチディスプレイシステムの更なる省電力化を図ることができる。
【００１３】
本発明では、前記画像出力装置は、前記操作装置に対する操作に応じて、前記表示画像に含まれる第二オブジェクトを移動させる第二オブジェクト移動部と、前記第二オブジェクトが位置する前記画面に隣接し、かつ、前記待機状態に設定された他の前記画面に対応する前記画像形成領域に前記第二オブジェクトの少なくとも一部が侵入したか否かを判定する移動範囲判定部と、前記第二オブジェクトが前記画像形成領域に侵入したと判定されると、当該画像形成領域に対応する前記他の画面に設定された待機状態を解除する第二解除部とを備えることが好ましい。
【００１４】
本発明によれば、第二オブジェクト移動部により操作装置への入力操作に応じて第二オブジェクトが移動された際に、移動範囲判定部が、当該第二オブジェクトが位置していた画面から、当該画面に隣接する他の画面に対応する画像形成領域に侵入したかを判定する。そして、移動範囲判定部により、第二オブジェクトが侵入したと判定されると、第二解除手段が、当該画像形成領域に対応する前記他の画面に設定されていた待機状態を解除する。
これによれば、各画面により表示された表示画像において、第二オブジェクトの少なくとも一部が、待機状態に設定されている他の画面に移動した際に、当該他の画面の待機状態が解除されるので、当該第二オブジェクトの一部が見えなくなることを防ぐことができる。従って、表示する必要のある第二オブジェクトを確実に表示することができる。
【００１５】
本発明では、前記第二オブジェクトは、所定の処理結果が表示されるコンテンツ領域であることが好ましい。
このようなコンテンツ領域としては、アプリケーションに対応するウィンドウ領域や、エラーメッセージの表示及び操作の確認要求等に用いられるダイアログ等のウィンドウ領域を例示することができる。
本発明によれば、所定の処理結果が表示される第二オブジェクトを確実に表示することができる。従って、表示する必要性の高いコンテンツ領域である第二オブジェクトを確実に表示することができる。
【００１６】
本発明では、前記第二オブジェクトを操作する他の操作装置を備え、前記画像出力装置は、前記他の操作装置に対する操作に応じて、選択された前記第二オブジェクトが位置する前記画像形成領域に対応する前記画面に設定された待機状態を解除する第三解除部を備えることが好ましい。
【００１７】
このような他の操作装置として、キーボード等を例示することができる。
本発明によれば、待機状態に設定された所定の画面に第二オブジェクトが位置している状態で、他の操作装置に対する操作により、当該第二オブジェクトが選択された（アクティブ化された）場合には、当該所定の画面の待機状態を第三解除部が解除する。
これによれば、前述の第一オブジェクトの操作等によって当該所定の画面に設定された待機状態を解除する必要がなく、例えば、他の操作装置がキーボードで構成されている場合には、複数のキーの同時入力等の操作により、選択された第二オブジェクトが位置する画面の待機状態を容易に解除することができる。従って、選択された第二オブジェクトを容易に、かつ、確実に表示することができる。
【００１８】
また、本発明の表示制御方法は、入力する画像情報に応じた画像を表示する画面をそれぞれ有する複数の画像表示装置と、前記各画面に表示される画像がそれぞれ形成される複数の画像形成領域を有するメモリ上で、オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記オブジェクトを操作する操作装置とを備えたマルチディスプレイシステムに用いられ、前記複数の画像表示装置の表示状態を制御する表示制御方法であって、所定の前記画面を待機状態に設定する待機状態設定ステップと、前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定ステップと、前記緩衝領域を前記オブジェクトが所定回数通過したか否かを判定する回数判定ステップと、前記オブジェクトが前記緩衝領域を前記所定回数通過したと判定されると、当該緩衝領域を有する前記画像形成領域に対応する前記他の画面に設定された待機状態を解除する解除ステップとを有することを特徴とする。
【００１９】
本発明によれば、前述のマルチディスプレイシステムと同様の効果を奏することができる。
すなわち、緩衝領域設定ステップにて、オブジェクトが位置する部分画像が表示される画面に隣接し、かつ、待機状態設定ステップにて待機状態に設定された他の画面に対応するメモリの画像形成領域において、当該オブジェクトが位置する画面に隣接する領域に緩衝領域が設定される。そして、回数判定ステップにて、移動したオブジェクトが当該緩衝領域を所定回数通過したか否かが判定され、通過したと判定されると、解除ステップにて、当該緩衝領域が設定された画像形成領域に対応する前記他の画面の待機状態が解除される。
これによれば、オブジェクトが、現在位置する画面に隣接する他の画面に侵入した場合でも、当該オブジェクトが、当該他の画面に対応する画像形成領域に設定された緩衝領域を所定回数通過しない限りは、当該他の画面に設定された待機状態が解除されないようにすることができる。従って、使用者が意図しない操作装置に対する操作によってオブジェクトが他の画面に移動した場合でも、当該他の画面に設定された待機状態を維持することができ、これにより、マルチディスプレイシステム全体の省電力化を簡易な構成で実現することができる。
【００２０】
また、本発明の表示制御プログラムは、入力する画像情報に応じた画像を表示する画面をそれぞれ有する複数の画像表示装置と、前記各画面に表示される画像が形成される複数の画像形成領域を有するメモリ上で、オブジェクトが含まれる表示画像を形成し、前記各画像形成領域に形成された前記表示画像に係る部分画像の画像情報を、当該画像形成領域に対応する前記画面を有する前記画像表示装置にそれぞれ出力する画像出力装置と、前記オブジェクトを操作する操作装置とを備えたマルチディスプレイシステムの前記画像出力装置により実行され、前記複数の画像表示装置の表示状態を制御する表示制御プログラムであって、前記画像出力装置に、所定の前記画面を待機状態に設定する待機状態設定ステップと、前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定ステップと、前記緩衝領域を前記オブジェクトが所定回数通過したか否かを判定する回数判定ステップと、前記オブジェクトが前記緩衝領域を前記所定回数通過したと判定されると、当該緩衝領域を有する前記画像形成領域に対応する前記他の画面に設定された待機状態を解除する解除ステップとを実行させることを特徴とする。
【００２１】
本発明によれば、前述のマルチディスプレイシステム及び表示制御方法と同様の効果を奏することができる。
すなわち、画像出力装置が、本発明の表示制御プログラムを実行し、緩衝領域設定ステップ、回数判定ステップ及び解除ステップを処理することにより、オブジェクトが所定回数通過した緩衝領域を有する画像形成領域に対応する画面の待機状態が解除される。
これによれば、オブジェクトが緩衝領域を所定回数通過した場合に、当該緩衝領域を有する画像形成領域に対応する画面の待機状態を解除する一方、使用者の意図しない操作によってオブジェクトが移動した場合には、当該オブジェクトは緩衝領域を所定回数通過しないため、明確にオブジェクトを操作した場合にのみ当該画面の待機状態を解除することができる。従って、使用者の意図しない操作で、オブジェクトを含む部分画像が表示された画面から、当該画面に隣接する他の画面内に当該オブジェクトが侵入した場合でも、当該他の画面に設定された待機状態を維持することができ、これにより、マルチディスプレイシステム全体の省電力化を簡易な構成で確実に図ることができる。
【００２２】
また、本発明の記録媒体は、前述の表示制御プログラムをコンピュータ読取可能に記録したことを特徴とする。
本発明によれば、画像出力装置が、当該記録媒体に記録された表示制御プログラムを読み取って実行することにより、前述の表示制御プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述の表示制御プログラムをインストール、実行及び配布することができる。
【００２３】
また、本発明の画像出力装置は、入力する画像情報に応じた画像を表示する画面をそれぞれ有する複数の画像表示装置と、当該複数の画像表示装置の各画面によって表示される表示画面に含まれるオブジェクトを操作する操作装置とを備えたマルチディスプレイシステムに用いられ、前記各画面に表示される画像が形成される複数の画像形成領域を有するメモリ上で、前記表示画像を形成し、前記各画像形成領域にて形成された前記表示画像に係る部分画像の画像情報を、当該画像形成領域に対応する前記画面を有する前記画像表示装置にそれぞれ出力する画像出力装置であって、前記操作装置に対する操作に応じて前記オブジェクトを前記メモリ上で形成される前記表示画像上で移動させるオブジェクト移動部と、所定の前記画面を待機状態に設定する待機状態設定部と、前記複数の画像形成領域のうち、前記オブジェクトが位置する前記画面に隣接し、かつ、待機状態に設定された他の前記画面に対応する画像形成領域において、前記オブジェクトが位置する前記画面に隣接する領域に緩衝領域を設定する緩衝領域設定部と、前記緩衝領域を前記オブジェクトが所定回数通過したか否かを判定する回数判定部と、前記オブジェクトが前記緩衝領域を前記所定回数通過したと判定されると、当該緩衝領域を有する前記画像形成領域に対応する前記他の画面に設定された待機状態を解除する解除部とを備えることを特徴とする。
【００２４】
本発明によれば、前述のマルチディスプレイシステムと同様の効果を奏することができる。
すなわち、画像出力装置のオブジェクト移動部により、操作装置に対する操作に応じて、オブジェクトが移動され、待機状態設定部により、例えば、メモリにおけるオブジェクトが所定時間位置していない画像形成領域に対応する画面に待機状態が設定される。そして、緩衝領域設定部により、オブジェクトが位置する部分画像が表示される画面に隣接し、かつ、待機状態に設定されている他の画面に対応する画像形成領域に緩衝領域が設定される。この後、回数判定部により、オブジェクトが当該緩衝領域を所定回数通過したと判定されると、解除部により、当該オブジェクトが所定回数通過した緩衝領域が設定された画像形成領域に対応する当該他の画面の待機状態が解除される。
これによれば、使用者が意図しない操作装置に対する操作に応じて、オブジェクトが移動した場合でも、当該オブジェクトが緩衝領域内に留まっている場合、及び、当該緩衝領域を所定回数通過していない場合には、当該緩衝領域が設定された画像形成領域に対応する画面の待機状態を維持することができる。従って、使用者の不意の操作によって画面の待機状態が解除されてしまうことを防ぐことができる。
【発明を実施するための最良の形態】
【００２５】
以下、本発明の一実施形態を図面に基づいて説明する。
〔マルチディスプレイシステム１の構成〕
図１は、本実施形態に係るマルチディスプレイシステム１の全体構成を示す図である。また、図２は、マルチディスプレイシステム１の構成を示すブロック図である。
本実施形態のマルチディスプレイシステム（以下、「ＭＤＳ」と略す場合がある）１は、図１及び図２に示すように、ＰＣ２から出力された画像Ｔ２を、各プロジェクタ８１〜８３によりスクリーンＳＣ上に表示するシステムである。このＭＤＳ１は、前述のＰＣ２及び複数のプロジェクタ８（８１〜８３）と、当該ＰＣ２に接続されるポインティングデバイスであるマウス９１及びキーボード９２とを備えて構成されている。このうち、マウス９１及びキーボード９２は、本発明の操作装置及び他の操作装置に、それぞれ相当する。
【００２６】
〔プロジェクタ８の構成〕
プロジェクタ８は、本発明の画像表示装置に相当し、入力する画像情報に応じた画像を形成し、スクリーンＳＣ等の投射面上に拡大投射するものである。すなわち、スクリーンＳＣ上の各プロジェクタ８１〜８３によって画像が投射される投射領域Ｓ１〜Ｓ３（図４参照）が、本発明の画面に相当する。以下、これら投射領域Ｓ１〜Ｓ３を画面Ｓ１〜Ｓ３として説明する。
【００２７】
このプロジェクタ８は、詳しい図示を省略したが、光源と、当該光源から射出された光を前記画像情報に応じて変調して画像光を形成する液晶パネル等の光変調装置と、当該画像光をスクリーンＳＣ等の投射面上に投射する投射光学装置である投射レンズを備えて構成されている。このようなプロジェクタ８は、本実施形態では水平方向に沿って３台並列するように設けられており、各プロジェクタ８（８１〜８３）には、ＩＰ（Internet Protocol）アドレスが割り振られている。そして、各プロジェクタ８１〜８３は、後述するＰＣ２から自己のアドレス宛に送信された画像情報を受信し、当該画像情報に基づく画像を表示する。なお、これらプロジェクタ８１〜８３は、画像情報が所定時間以上入力しない場合には、画像表示を停止する（例えば、光源を消灯させる）省電力モードに切り替わるように構成されている。
なお、本実施形態では、画像表示装置をプロジェクタで構成したが、液晶、プラズマ、有機ＥＬ（Electroluminescence）及びＣＲＴ（Cathode Ray Tube）等のディスプレイで構成することも可能であり、これらの場合には、画像が表示される表示領域が、本発明の画面に相当する。
【００２８】
〔ＰＣ２の構成〕
図３は、ＰＣ２に設けられた画像表示手段３に表示される表示画像Ｔ１を示す図であり、図４は、前述のプロジェクタ８１〜８３により表示される表示画像Ｔ２を示す図である。なお、図３及び図４においては、画面Ｓ２に位置するコンテンツ領域ＣＡ２が有効（アクティブ）なコンテンツ領域ＣＡとして表されている。
ＰＣ２は、本発明の画像出力装置に相当し、本実施形態では、ノート型ＰＣとして構成されている。このＰＣ２は、筐体内に設けられた画像表示手段３に表示画像Ｔ１に係る画像情報を出力するほか、各プロジェクタ８１〜８３に、表示画像Ｔ２を分割した部分画像Ｔ２１〜Ｔ２３に係るに係る画像情報を出力する。また、このＰＣ２は、当該ＰＣ２に接続されたマウス９１及びキーボード９２への入力操作に応じた処理を実行する。このＰＣ２には、前述のプロジェクタ８１〜８３と同様にＩＰアドレスが割り振られており、ＬＡＮ（Local Area Network）を介して、各プロジェクタ８１〜８３に画像情報を出力可能に構成されている。なお、本実施形態では、ＰＣ２とプロジェクタ８とは、ＬＡＮによって接続されるとしたが、映像出力ケーブル等により、ＰＣ２と各プロジェクタ８とがそれぞれ直接接続される構成としてもよい。
【００２９】
ＭＤＳ１においては、図３及び図４に示すように、ＰＣ２に設けられた画像表示手段３に表示された表示画像Ｔ１と同等の表示画像Ｔ２が、プロジェクタ８１〜８３によって表示される。すなわち、ＰＣ２は、画像表示手段３に表示される表示画像Ｔ１のうち、マウス９１によって操作可能なポインタＰの動作範囲である動作領域に対応し、かつ、ポインタＰ及びコンテンツ領域ＣＡ（ＣＡ１〜ＣＡ３）が含まれる表示画像Ｔ２を、プロジェクタ８１〜８３の配置方向（水平方向）に沿って、当該プロジェクタ８１〜８３の数に応じて均等に分割した部分画像Ｔ２１〜Ｔ２３に係る画像情報を各プロジェクタ８１〜８３に送信する。そして、プロジェクタ８１により形成される画面Ｓ１にて、表示画像Ｔ２の左側に対応する部分画像Ｔ２１、プロジェクタ８２により形成される画面Ｓ２にて、表示画像Ｔ２の中央に対応する部分画像Ｔ２２、及び、プロジェクタ８３により形成される画面Ｓ３にて、表示画像Ｔ２の右側に対応する部分画像Ｔ２３をそれぞれ表示することで、表示画像Ｔ２を形成表示する。
このようなＰＣ２は、図２に示すように、画像表示手段３と、操作信号入力部４と、制御手段５と、記憶手段６とを備えて構成されている。
【００３０】
画像表示手段３は、液晶パネル及びバックライトで構成され、前述のように、ＰＣ２がノート型ＰＣで構成されているため、当該画像表示手段３は、ＰＣ２を構成する筐体内に収納されている。この画像表示手段３は、後述する制御手段５を構成する画像出力部５２から入力する画像情報に応じた表示画像Ｔ１を形成表示する。なお、この画像表示手段３は、無くてもよく、また、プロジェクタ８１〜８３によって表示される部分画像Ｔ２１〜Ｔ２３のいずれかを表示するように構成してもよい。
操作信号入力部４は、マウス９１及びキーボード９２と接続され、当該マウス９１及びキーボード９２から入力する操作信号を、制御手段５に出力する。
記憶手段６は、ＨＤＤ（Hard Disk Drive）等で構成され、制御手段５での処理に必要なプログラムや各種データを記憶している。このようなプログラムとして、ＰＣ２を制御するＯＳ（Operating System）や、後述する表示制御処理等に係る各種プログラムが挙げられる。
【００３１】
〔制御手段５の構成〕
制御手段５は、ＣＰＵ（Central Processing Unit）、ＲＡＭ（Random Access Memory）、ＲＯＭ（Read Only Memory）及び各種回路が実装された回路基板として構成され、ＰＣ２の駆動を制御するほか、前述のマウス９１及びキーボード９２から操作信号入力部４を介して入力する操作信号に応じた処理を実行する。また、この制御手段５は、プロジェクタ８１〜８３に画像情報を出力し、当該各プロジェクタ８１〜８３による画像の表示状態を制御する。このような制御手段５は、主制御部５１と、画像出力部５２と、ＶＲＡＭ（Video RAM）等により構成されたメモリ５３とを備えて構成されている。
【００３２】
〔画像出力部５２の構成〕
図５は、画像出力部５２の構成を示すブロック図である。
このうち、画像出力部５２は、例えば、画像出力機能を有するチップセットや、画像出力カード（ビデオカード）等により構成され、画像表示手段３に画像情報を出力して、当該画像表示手段３に表示画像Ｔ１を表示させるほか、設定された分割数でメモリ５３の座標空間を分割し、当該分割されたメモリ５３上の画像形成領域Ａに形成された各部分画像Ｔ２１〜Ｔ２３に係る各画像情報を、ＬＡＮを介してプロジェクタ８１〜８３にそれぞれ出力する。この画像出力部５２は、図５に示すように、分割数取得部５２１、表示画像分割部５２２、画面状態判定部５２３及び部分画像出力部５２４を備えて構成されている。
分割数取得部５２１は、使用者によるマウス９１及びキーボード９２の操作によって設定され、後述する主制御部５１により設定された表示画像Ｓ２の分割数を取得する。
【００３３】
図６は、メモリ５３上に設定された画像形成領域Ａを示す図である。
表示画像分割部５２２は、取得された分割数で、メモリ５３上で形成された表示画像Ｔ２を分割する。具体的に、表示画像分割部５２２は、主制御部５１によってメモリ５３上に形成される表示画像Ｔ１に係る画像情報の読み出し位置（座標）を設定することにより、当該メモリ５３上に形成された表示画像Ｔ１に対応する表示画像Ｔ２を、部分画像Ｔ２１〜Ｔ２３に分割する。
例えば、図６に示すように、メモリ５３上に解像度３０７２×２３０４の画像を形成する場合、表示画像分割部５２２は、まず、分割数取得部５２１により取得された分割数に基づいて、メモリ５３の座標空間を水平方向（Ｘ方向）に３等分する。そして、表示画像分割部５２２は、垂直方向（Ｙ方向）の中央を中心として、プロジェクタ８１〜８３にそれぞれ出力する画像情報が形成された画像形成領域Ａを規定する。
【００３４】
具体的に、図６の例では、表示画像分割部５２２は、メモリ５３の（０，７６８）から（１０２３，１５３５）までの領域をプロジェクタ８１に出力する画像情報が書き込まれた画像形成領域Ａ１とし、（１０２４，７６８）から（２０４７，１５３５）までの領域をプロジェクタ８２に出力する画像情報が書き込まれた画像形成領域Ａ２とし、（２０４８，７６８）から（３０７１，１５３５）までの領域をプロジェクタ８３に画像情報が書き込まれた画像形成領域Ａ３として設定する。
なお、メモリ５３における画像形成領域Ａ１〜Ａ３以外の領域に書き込まれた画像情報は、プロジェクタ８１〜８３に出力されないものの、画像表示手段３には出力される。すなわち、当該画像形成領域Ａ１〜Ａ３以外の領域が、ポインタＰの動作範囲でない領域である。
【００３５】
画面状態判定部５２３は、後述する主制御部５１により、プロジェクタ８１〜８３によって形成される複数の画面Ｓ１〜Ｓ３のうち、待機状態に設定された画面があるか否かを判定する。
部分画像出力部５２４は、各プロジェクタ８１〜８３に対して、表示画像分割部５２２により分割されたメモリ５３上の各画像形成領域Ａ１〜Ａ３に書き込まれた各部分画像Ｔ２１〜Ｔ２３に係る画像情報をそれぞれ出力する。この際、画面状態判定部５２３により、待機状態に設定されている画面があると判定された場合には、当該画面に係るプロジェクタに対しては、部分画像に係る画像情報の出力を行わない。
【００３６】
〔主制御部５１の全体構成〕
図７は、主制御部５１の構成を示すブロック図である。
主制御部５１は、ＣＰＵ等により構成され、ＰＣ２全体を制御するほか、マウス９１及びキーボード９２から入力する操作信号に基づいて、プロジェクタ８１〜８３に出力する部分画像Ｔ２１〜Ｔ２３に係る画像情報の出力状態を制御して、各プロジェクタ８１〜８３による画像表示状態を制御する。このため、主制御部５１は、図７に示すように、オブジェクト位置取得部５１１、オブジェクト移動部５１２、分割数設定部５１３、タイマリセット部５１４、待機状態設定部５１５及び待機状態解除部５１６を備えて構成されている。
【００３７】
オブジェクト位置取得部５１１は、現在表示されているオブジェクトの位置を取得する。具体的に、オブジェクト位置取得部５１１は、メモリ５３の座標空間におけるオブジェクトの絶対座標、すなわち、メモリ５３の座標空間の左端で、かつ上端を原点とし、水平方向の座標であるＸ座標（左方向から右方向に向かうに従って座標値が大きくなる座標）及び垂直方向の座標であるＹ座標（上方向から下方向に向かうに従って座標値が大きくなる座標）の各座標値をピクセル単位で取得する。このオブジェクト位置取得部５１１は、ポインタ位置取得部５１１１と、コンテンツ位置取得部５１１２とを備えて構成されている。
【００３８】
ポインタ位置取得部５１１１は、メモリ５３の座標空間における第一オブジェクトであるポインタの絶対座標を取得する。
また、コンテンツ位置取得部５１１２は、メモリ５３の座標空間におけるコンテンツ領域ＣＡのうち、マウス９１及びキーボード９２の操作により選択されてアクティブ化されたコンテンツ領域ＣＡの絶対座標を取得する。このようなコンテンツ領域ＣＡとしては、例えば、アプリケーションに対応するウィンドウ領域や、エラーメッセージの表示及び操作の確認要求等に用いられるダイアログ等のウィンドウ領域等を挙げることができ、これらは、本実施形態では、本発明の第二オブジェクトに相当する。
【００３９】
オブジェクト移動部５１２は、マウス９１及びキーボード９２から入力する操作信号に基づいて、オブジェクトであるポインタＰ及び前述のコンテンツ領域ＣＡをメモリ５３上で移動する。具体的に、オブジェクト移動部５１２は、オブジェクト位置取得部５１１で取得されたオブジェクトのメモリ５３上での絶対座標に、マウス９１及びキーボード操作に応じた移動量を増減し、算出された絶対座標に位置するようにオブジェクトを移動させる。このオブジェクト移動部５１２は、ポインタ移動部５１２１及びコンテンツ移動部５１２２を備え、それぞれ、ポインタＰ及びコンテンツ領域ＣＡを移動させる。そして、これら移動されたオブジェクトが含まれる表示画像Ｔ１，Ｔ２が表示されることで、当該オブジェクトが表示画像Ｔ１，Ｔ２上を移動しているように視認される。すなわち、ポインタ移動部５１２１及びコンテンツ移動部５１２２は、本発明の第一オブジェクト移動部及び第二オブジェクト移動部に相当する。
【００４０】
分割数設定部５１３は、プロジェクタ８を用いて表示画像Ｔ２を表示する際に、ＰＣ２に接続されたプロジェクタ８の数に応じて、メモリ５３上の座標空間を分割する分割数を設定する。この分割数に基づいて、前述の表示画像分割部５２２が、各画面Ｓ１〜Ｓ３に対応する画像形成領域Ａ１〜Ａ３をメモリ５３上に規定する。この分割数設定部５１３により設定される分割数は、使用者のマウス９１及びキーボード９２に対する入力操作に応じて設定してもよく、あるいは、ＰＣ２に接続されたプロジェクタ８を検出し、当該プロジェクタ８（８１〜８３）の数を分割数として設定してもよい。
タイマリセット部５１４は、後述する各処理にて、各画面Ｓに係るプロジェクタ８に、画像情報を出力するか否かを判定する際のタイマをリセットする。
【００４１】
〔待機状態設定部５１５の構成〕
図８は、待機状態設定部５１５の構成を示すブロック図である。
待機状態設定部５１５は、メモリ５３上のポインタＰ及びアクティブなコンテンツ領域ＣＡの位置から、所定時間、これらポインタＰ及びコンテンツ領域ＣＡが位置していない画像形成領域Ａに対応する画面Ｓを待機状態に設定する。この待機状態設定部５１５により待機状態に設定された画面Ｓを有するプロジェクタ８に対しては、前述のように、画像出力部５２は、画像情報の出力を停止する。
この待機状態設定部５１５は、図８に示すように、分割数取得部５１５１、判定対象設定部５１５２、対象領域判定部５１５３、計時部５１５４、経過時間判定部５１５５、状態設定部５１５６及び対象判定部５１５７を備えて構成されている。
【００４２】
分割数取得部５１５１は、分割数設定部５１３により設定された表示画像Ｔ２の分割数、すなわち、ＰＣ２に接続されたプロジェクタ８１〜８３の数を取得する。
判定対象設定部５１５２は、待機状態に設定するか否かを判定する対象を設定する。具体的に、判定対象設定部５１５２は、各画面Ｓ１〜Ｓ３に対応するメモリ５３上の画像形成領域Ａ１〜Ａ３を順次対象に設定する。なお、判定対象設定部５１５２は、１つの画像形成領域Ａ１〜Ａ３を判定対象に設定し終えると、再び、最初の画面、すなわち、各画面における一番左側に位置する画面に対応する画像形成領域（メモリ５３の座標空間において、原点に最も近い画像形成領域であり、本実施形態では画像形成領域Ａ１）を再度対象に設定する。
【００４３】
対象領域判定部５１５３は、判定対象設定部５１５２により判定対象に設定された画像形成領域Ａ（Ａ１〜Ａ３）がアクティブであるか否かを判定する。具体的に、対象領域判定部５１５３は、当該画像形成領域Ａ内に、ポインタＰまたはアクティブなコンテンツ領域ＣＡが位置するか否かを判定することにより、当該画像形成領域Ａがアクティブであるか否かを判定する。また、対象領域判定部５１５３は、画像形成領域ＡにポインタＰまたはアクティブなコンテンツ領域ＣＡが位置し、当該画像形成領域Ａがアクティブであると判定した場合には、当該画像形成領域Ａに対応する画面Ｓが待機状態に設定されているか否かを判定する。
【００４４】
計時部５１５４は、タイマを備えて構成され、当該タイマは、前述の判定対象の画像形成領域ＡにポインタＰまたはアクティブなコンテンツ領域ＣＡが位置しなくなった時点から、カウントダウンを開始する。
経過時間判定部５１５５は、計時部５１５４のタイマが、タイムアップしたか否かを判定する。なお、このタイムアップ時間は、使用者が予め設定することができる。
状態設定部５１５６は、経過時間判定部５１５５により、計時部５１５４のタイマがタイムアップしたと判定された際に、該当する判定対象である画像形成領域Ａに係る画面Ｓを待機状態に設定する。これにより、画像出力部５２による当該画像形成領域Ａに書き込まれ、当該画像形成領域Ａに対応する画面Ｓに係るプロジェクタ８への画像情報出力が停止される。また、状態設定部５１５６は、対象領域判定部５１５３が判定対象の画像形成領域Ａに対応する画面Ｓが待機状態に設定されており、当該画像形成領域Ａがアクティブとなったと判定された場合に、当該画面Ｓに設定されている待機状態を解除する。これにより、当該画面Ｓに係るプロジェクタ８への画像情報出力が再開する。
【００４５】
対象判定部５１５７は、各画面Ｓ１〜Ｓ３に対応する全ての画像形成領域Ａ１〜Ａ３が判定対象に設定されたか否かを判定する。そして、対象判定部５１５７は、判定対象に設定されていない画像形成領域Ａが存在すると判定した場合には、前述の判定対象設定部５１５２に次の画像形成領域Ａ、例えば、画像形成領域Ａ１が判定対象に設定されていた場合には、画像形成領域Ａ２を判定対象に設定させる。また、全ての画像形成領域Ａ１〜Ａ３が判定対象に設定されたと判定した場合、すなわち、本実施形態では、画像形成領域Ａ３が判定対象に設定されていた場合には、対象判定部５１５７は、判定対象設定部５１５２に、画像形成領域Ａ１を判定対象に設定させる。
【００４６】
〔待機状態解除部５１６の構成〕
図９は、待機状態解除部５１６の構成を示すブロック図である。
図７に戻り、待機状態解除部５１６は、ポインタＰ及びアクティブなコンテンツ領域ＣＡが移動した際に、当該ポインタＰ及びコンテンツ領域ＣＡの移動軌跡に基づいて、移動先の画像形成領域Ａに対応する画面Ｓが待機状態に設定されている場合には、当該待機状態を解除する。また、キーボード９２の所定のキーが入力された場合には、アクティブなコンテンツ領域ＣＡが位置する画像形成領域Ａに対応する画面Ｓに設定された待機状態を解除する。この待機状態解除部５１６は、図９に示すように、オブジェクト移動時解除部５１６１と、キー入力時解除部５１６２とを備えて構成されている。
【００４７】
〔オブジェクト移動時解除部５１６１の構成〕
オブジェクト移動時解除部５１６１は、オブジェクトであるポインタＰ及びコンテンツ領域ＣＡが現在位置する画像形成領域Ａから、他の画像形成領域Ａに侵入した際に、当該オブジェクトの移動軌跡に基づいて、移動先である他の画像形成領域Ａに対応する画面Ｓの待機状態を解除する。このオブジェクト移動時解除部５１６１は、対象領域設定部５１６１１、領域状態判定部５１６１２、緩衝領域設定部５１６１３、移動判定部５１６１４、移動オブジェクト判定部５１６１５、移動軌跡取得部５１６１６、移動範囲判定部５１６１７、移動軌跡判定部５１６１８、回数判定部５１６１９、状態変更部５１６１Ａ及び解除判定部５１６１Ｂを備えて構成されている。
【００４８】
対象領域設定部５１６１１は、待機状態を解除するか否かの判定を行う画面Ｓに対応する画像形成領域Ａを設定する。具体的に、対象領域設定部５１６１１は、ポインタＰが表示されている画面Ｓに隣接する他の画面Ｓに対応する画像形成領域Ａを対象領域として設定する。例えば、対象領域設定部５１６１１は、ポインタＰが画面Ｓ２に表示されている場合には、当該画面Ｓ２に隣接する画面Ｓ１，Ｓ３に対応する画像形成領域Ａ１，Ａ３を対象領域として設定し、ポインタＰが画面Ｓ１に表示されている場合には、当該画面Ｓ１に隣接する画面Ｓ２に対応する画像形成領域Ａ２を対象領域として設定する。
なお、アクティブなコンテンツ領域ＣＡが、全ての画面Ｓ１〜Ｓ３に跨っている場合には、対象領域設定部５１６１１は、画面Ｓ１〜Ｓ３の全てが待機状態に設定されておらず、各画面Ｓ１〜Ｓ３は全てアクティブであると判定して、対象領域を設定せず、オブジェクト移動時解除部５１６１での処理は終了する。
【００４９】
領域状態判定部５１６１２は、対象領域設定部５１６１１により対象領域に設定された画像形成領域Ａに対応する画面Ｓが、前述の待機状態設定部５１５により待機状態に設定されているか否かを判定する。この領域状態判定部５１６１２は、対象領域設定部５１６１１により、複数の画面Ｓに対応する複数の画像形成領域Ａが対象領域に設定されている場合には、それぞれの画像形成領域Ａに対応する画面Ｓに対して待機状態に設定されているか否かを判定する。
【００５０】
図１０は、アクティブな画面Ｓ２に隣接し、待機中の画面Ｓ１，Ｓ３に対応する画像形成領域Ａ１，Ａ３に設定された緩衝領域ＢＡを示す図である。なお、図１０においては、緩衝領域ＢＡの位置を分かりやすくするために、画像形成領域Ａ１，Ａ３に対応する画面Ｓ１，Ｓ３上に緩衝領域ＢＡを重ね合わせて示している。
緩衝領域設定部５１６１３は、領域状態判定部５１６１２により、対象領域である画像形成領域Ａに対応する画面Ｓが待機状態に設定されていると判定された際に、当該画像形成領域Ａにおいて、アクティブな画面Ｓに隣接する側の領域に所定の幅を有する緩衝領域ＢＡを設定する。例えば、緩衝領域設定部５１６１３は、アクティブな画面が画面Ｓ２である場合に、図１０に示すように、対象領域である画像形成領域Ａ１，Ａ３における画面Ｓ２に隣接する側の領域に、当該各画像形成領域Ａ１，Ａ３全体のおよそ１０％程度の幅寸法を有する緩衝領域ＢＡを設定する。なお、この緩衝領域ＢＡの割合は、適宜設定してよい。
【００５１】
移動判定部５１６１４は、ポインタＰ及びコンテンツ領域ＣＡが、使用者のマウス９１及びキーボード９２に対する操作によって移動したか否かを判定する。
移動オブジェクト判定部５１６１５は、使用者のマウス９１及びキーボード９２の操作によって移動するオブジェクトがポインタＰのみか、あるいは、コンテンツ領域ＣＡを含むかを判定する。ここで、コンテンツ領域ＣＡは、例えば、ドラッグされた場合のように、ポインタＰによって移動が可能であるので、移動オブジェクト判定部５１６１５が、当該移動するオブジェクトがポインタＰのみであるのか、あるいは、コンテンツ領域ＣＡが含まれるか否かを判定する。
【００５２】
移動軌跡取得部５１６１６は、移動されたオブジェクトの軌跡を判定する。ここで、移動オブジェクト判定部５１６１５により、コンテンツ領域ＣＡが移動したと判定された場合には、移動軌跡取得部５１６１６は、アクティブなコンテンツ領域ＣＡの移動軌跡を取得し、また、ポインタＰのみの移動であると判定された場合には、当該ポインタＰの移動軌跡を取得する。
【００５３】
移動範囲判定部５１６１７は、移動軌跡取得部５１６１６により取得されたオブジェクトの移動軌跡に基づいて、当該オブジェクトの移動範囲を判定する。
具体的に、移動範囲判定部５１６１７は、移動オブジェクト判定部５１６１５により、移動されたオブジェクトがポインタＰのみであると判定された際に、移動軌跡取得部５１６１６により取得されたポインタＰの移動軌跡に基づいて、当該ポインタＰが対象領域に設定された画像形成領域Ａの緩衝領域ＢＡ内に侵入したか否かを判定する。
また、移動範囲判定部５１６１７は、移動オブジェクト判定部５１６１５により、移動したオブジェクトがコンテンツ領域ＣＡを含むと判定された際に、移動軌跡取得部５１６１６により取得されたコンテンツ領域ＣＡの移動軌跡に基づいて、当該コンテンツ領域ＣＡが対象領域であり、かつ、コンテンツ領域ＣＡが位置していた画面Ｓに隣接する他の画面Ｓに対応する画像形成領域Ａの緩衝領域ＢＡ内に侵入したか否かを判定する。
【００５４】
移動軌跡判定部５１６１８は、移動範囲判定部５１６１７により、ポインタＰが緩衝領域ＢＡ内に侵入したと判定された場合に、当該ポインタＰが当該緩衝領域ＢＡを通過したか否かを判定する。
回数判定部５１６１９は、移動軌跡判定部５１６１８により、ポインタＰが緩衝領域ＢＡを通過したと判定された場合に、当該ポインタＰが当該緩衝領域ＢＡを所定回数通過したか否かを判定する。なお、この回数は、本実施形態では３回に設定されているが、１回でもよく、回数は適宜設定してよい。
【００５５】
状態変更部５１６１Ａは、本発明の第一解除部、第二解除部及び解除部に相当し、回数判定部５１６１９により、ポインタＰが緩衝領域ＢＡを所定回数通過したと判定された場合、及び、移動範囲判定部５１６１７により、コンテンツ領域ＣＡが他の画像形成領域Ａ内に侵入したと判定された場合に、これらポインタＰ及びコンテンツ領域ＣＡが侵入した画像形成領域Ａに対応する画面Ｓの待機状態を解除する。これにより、当該画面Ｓに係る画像情報がプロジェクタ８に出力され、当該画面Ｓに部分画像が表示される。
【００５６】
解除判定部５１６１Ｂは、状態変更部５１６１Ａにより待機状態が解除された画面Ｓがあるか否かを判定する。この解除判定部５１６１Ｂにより、待機状態が解除された画面Ｓがあると判定された場合には、現在のオブジェクトの位置の取得、及び、対象領域の設定が再度行われることとなる。一方、解除判定部５１６１Ｂにより、待機状態が解除された画面Ｓがないと判定された場合には、現在のオブジェクトの位置の再取得は行われるものの、対象領域の再設定は行われない。これにより、緩衝領域ＢＡ内にポインタＰが位置したままであっても、当該緩衝領域ＢＡが設定された画像形成領域Ａに対応する画面Ｓを、待機状態を解除するか否かの判定を行う対象領域に設定したまま維持する。
【００５７】
〔キー入力時解除部５１６２の構成〕
キー入力時解除部５１６２は、キーボード９２に対して、表示画像Ｔ２上のアクティブなコンテンツ領域ＣＡを切り替える所定の入力操作、例えば、ファンクションキーの入力や、複数のキーの同時入力が行われ、当該所定の入力操作に応じた操作信号が、操作信号入力部４を介して入力した際に、アクティブ化されたコンテンツ領域ＣＡが位置する画像形成領域Ａに対応する画面Ｓの待機状態を解除する。このキー入力時解除部５１６２は、キー入力判定部５１６２１、対象領域設定部５１６２２、対象領域状態判定部５１６２３及び対象領域解除部５１６２４を備えて構成されている。
【００５８】
キー入力判定部５１６２１は、操作信号入力部４に入力した操作信号のうち、前述の所定の入力操作に応じた操作信号が含まれているか否かを判定する。
対象領域設定部５１６２２は、キー入力判定部５１６２１により、前述の所定の入力操作に応じた操作信号が入力したと判定された際に、当該入力操作に応じてアクティブ化されたコンテンツ領域ＣＡが位置する画像形成領域Ａを、対象領域に設定する。なお、このアクティブ化されたコンテンツ領域ＣＡの位置は、前述のオブジェクト位置取得部５１１のコンテンツ位置取得部５１１２により取得される。
【００５９】
対象領域状態判定部５１６２３は、対象領域に設定された画像形成領域Ａに対応する画面Ｓが、待機状態に設定されているか否かを判定する。
対象領域解除部５１６２４は、本発明の第三解除部に相当し、対象領域状態判定部５１６２３により、対象領域に設定された画像形成領域Ａに対応する画面Ｓが待機状態に設定されていると判定された場合に、当該画面Ｓの待機状態を解除する。これにより、当該画面Ｓに表示される部分画像の画像情報出力が、画像出力部５２により再開される。
【００６０】
〔表示制御処理〕
以下、画像出力装置であるＰＣ２で実行される表示制御処理を構成する各処理ＳＴ１，ＳＴ２，ＳＴ４，ＳＴ５について説明する。この表示制御処理は、各処理ＳＴ１，ＳＴ２，ＳＴ４，ＳＴ５に応じたプログラムを、記憶手段６から読み込んだ制御手段５が処理することによって実行される。
【００６１】
〔画像表示処理ＳＴ１〕
図１１は、画像表示処理ＳＴ１の処理過程を示すフローチャートである。
ＭＤＳ１にて画像を表示する際には、画像出力装置であるＰＣ２が、画像表示処理ＳＴ１を実行する。この画像表示処理ＳＴ１は、ＰＣ２の記憶手段６に記憶された画像表示プログラムを制御手段５が読み出すことで実行され、当該制御手段５が、各プロジェクタ８１〜８３に、メモリ５３上に形成された表示画像Ｔ２を分割した部分画像Ｔ２１〜Ｔ２３に係る画像情報を出力し、当該各部分画像Ｔ２１〜Ｔ２３を各プロジェクタ８１〜８３が画面Ｓ１〜Ｓ３上にそれぞれ表示することにより、表示画像Ｔ２を表示する処理である。
この画像表示処理ＳＴ１では、図１１に示すように、ＰＣ２の制御手段５を構成する画像出力部５２の分割数取得部５２１が、主制御部５１の分割数設定部５１３により設定された表示画像Ｔ２の分割数、すなわち、メモリ５３の座標空間の分割数を取得する（ステップＳＴ１１）。
【００６２】
次に、表示画像分割部５２２が、取得された分割数で表示画像Ｔ２を分割する（ステップＳＴ１２）。すなわち、表示画像分割部５２２は、本実施形態では、メモリ５３の座標空間上に形成された表示画像Ｔ１の読み出し位置を設定することにより、各画面Ｓ１〜Ｓ３に対応する画像形成領域Ａ１〜Ａ３を規定する。
この後、画面状態判定部５２３が、各画面Ｓ１〜Ｓ３のうち、待機状態に設定されている画面があるか否かを判定する（ステップＳＴ１３）。
【００６３】
ここで、画面状態判定部５２３が、待機状態に設定されている画面があると判定した場合には、部分画像出力部５２４は、当該待機状態に設定された画面Ｓに対応する画像形成領域Ａに書き込まれた画像情報の出力をせずに、他の待機状態に設定されていない画面Ｓに対応する画像形成領域Ａに書き込まれた画像情報を、プロジェクタ８に出力する（ステップＳＴ１４）。これにより、プロジェクタ８１〜８３のうち、画像情報が入力したプロジェクタは、当該画像情報に係る部分画像を表示し、画像情報が入力していないプロジェクタは、画像形成を行わないため、ＭＤＳ１の省電力化を図ることができる。
一方、画面状態判定部５２３が、待機状態に設定されている画面がないと判定した場合には、部分画像出力部５２４は、全ての部分画像Ｔ２１〜Ｔ２３に係る画像情報を、プロジェクタ８１〜８３に出力する（ステップＳＴ１５）。これにより、各部分画像Ｔ２１〜Ｔ２３により構成される表示画像Ｔ２がスクリーンＳＣ上に表示される。
【００６４】
〔待機状態設定処理ＳＴ２〕
次に、待機状態設定処理ＳＴ２について説明する。
図１２は、待機状態設定処理ＳＴ２の処理過程を示すフローチャートである。
待機状態設定処理ＳＴ２は、ＰＣ２の制御手段５が記憶手段６に記憶された待機状態設定プログラムを読み出すことで実行され、メモリ５３上のポインタＰ及びアクティブなコンテンツ領域ＣＡの位置に応じて、各画面Ｓ１〜Ｓ３を待機状態に設定する処理である。この処理ＳＴ２により、待機状態に設定された画面Ｓに係る画像情報は、前述の画像表示処理ＳＴ１にてプロジェクタ８に送信出力されない。
具体的に、待機状態設定処理ＳＴ２では、図１２に示すように、まず、制御手段５の主制御部５１を構成する待機状態設定部５１５の分割数取得部５１５１が、分割数設定部５１３により設定された表示画像Ｔ２の分割数を取得する（ステップＳＴ２１）。
【００６５】
次に、オブジェクト位置取得部５１１のポインタ位置取得部５１１１及びコンテンツ位置取得部５１１２が、ポインタＰ及びアクティブなコンテンツ領域ＣＡの位置をそれぞれ取得する（ステップＳＴ２２，ＳＴ２３）。
この後、判定対象設定部５１５２が、待機状態に設定すべきか否かを判定する判定対象の画面Ｓに対応する画像形成領域Ａを設定する（ステップＳＴ２４）。この判定対象設定部５１５２は、この段階では、画像形成領域Ａ１を判定対象に設定する。
【００６６】
次に、対象領域判定部５１５３が、判定対象設定部５１５２により判定対象に設定された画像形成領域Ａに対応する画面Ｓがアクティブであるか否かを判定する（ステップＳＴ２５）。具体的に、対象領域判定部５１５３は、オブジェクト位置取得部５１１により取得されたポインタＰ及びコンテンツ領域ＣＡの絶対座標に基づいて、当該画像形成領域Ａ内にポインタＰまたはアクティブなコンテンツ領域ＣＡが存在するか否かを判定する。
ここで、対象領域判定部５１５３が、判定対象の画像形成領域Ａ内に、ポインタＰまたはアクティブなコンテンツ領域ＣＡが存在すると判断した場合には、当該画像形成領域Ａに対応する画面Ｓが待機状態に設定されているか否かを判定する（ステップＳＴ２６）。この際、対象領域判定部５１５３が、待機状態に設定されていないと判定した場合には、待機状態設定部５１５は、ステップＳＴ３３に移行する。
【００６７】
一方、対象領域判定部５１５３が、判定対象の画像形成領域Ａに対応する画面Ｓが待機状態に設定されていると判定した場合には、当該画面Ｓの待機状態を解除する（ステップＳＴ２７）。この後、タイマリセット部５１４が、計時部５１５４のタイマをリセットし（ステップＳＴ２８）、待機状態設定部５１５は、ステップＳＴ３３に移行する。
【００６８】
ステップＳＴ２５での判定において、対象領域判定部５１５３が、判定対象の画像形成領域Ａ内に、ポインタＰ及びアクティブなコンテンツ領域ＣＡが存在しないと判定した場合には、経過時間判定部５１５５が、計時部５１５４のタイマが起動しているか否か、すなわち、タイマ監視中であるか否かを判定する（ステップＳＴ２９）。
このステップＳＴ２９での判定において、経過時間判定部５１５５が、タイマは起動していないと判定した場合、すなわち、タイマ監視中でないと判定した場合には、当該判定対象の画像形成領域Ａに係るタイマが起動され、当該タイマは、所定時間からのカウントダウンを開始する（ステップＳＴ３０）。
【００６９】
一方、ステップＳＴ２９での判定において、経過時間判定部５１５５が、タイマは起動していると判定した場合、すなわち、タイマ監視中であると判定した場合には、当該経過時間判定部５１５５は、当該タイマがタイムアップしたか否かを判定する（ステップＳＴ３１）。この際、経過時間判定部５１５５が、タイムアップしていないと判定した場合には、待機状態設定部５１５は、ステップＳＴ３３に移行する。
また、経過時間判定部５１５５が、タイムアップしたと判定した場合には、状態設定部５１５６が、判定対象の画像形成領域Ａに対応する画面Ｓを待機状態に設定する（ステップＳＴ３２）。これにより、当該画面Ｓに表示されるべき部分画像に係る画像情報が、画像出力部５２からプロジェクタ８に送信出力されなくなる。この後、待機状態設定部５１５は、ステップＳＴ３３に移行する。
【００７０】
ステップＳＴ３３では、対象判定部５１５７が、表示画像Ｔ２を構成する部分画像Ｔ２１〜Ｔ２３に対応する全ての画像形成領域Ａ１〜Ａ３が判定対象設定部５１５２により判定対象に設定されたか否か、すなわち、当該全ての画像形成領域Ａ１〜Ａ３、及び、当該画像形成領域Ａ１〜Ａ３に対応する画面Ｓ１〜Ｓ３に対して、前述のステップＳＴ２５〜ＳＴ３３が実行されたか否かを判定する（ステップＳＴ３３）。
そして、対象判定部５１５７が、判定対象設定部５１５２により全ての画像形成領域Ａ１〜Ａ３が判定対象に設定されたと判定した場合には、再びステップＳＴ２２に戻り、ポインタＰの位置及びアクティブコンテンツ領域ＣＡの位置を取得した後、判定対象設定部５１５２が、画像形成領域Ａ１を判定対象に設定して、前述のステップＳＴ２５〜ＳＴ３２を実行する。
【００７１】
一方、対象判定部５１５７が、判定対象設定部５１５２により判定対象に設定されていない画像形成領域Ａが存在すると判定した場合には、判定対象設定部５１５２が、次の画像形成領域Ａを判定対象に設定し（ステップＳＴ３４）、当該画像形成領域Ａ、及び、当該画像形成領域Ａに対応する画面Ｓに対して、前述のステップＳＴ２５〜ＳＴ３２を実行する。
以上により、待機状態設定処理ＳＴ２が終了する。
【００７２】
〔キー入力時解除処理ＳＴ４〕
次に、キー入力時解除処理ＳＴ４について説明する。
図１３は、キー入力時解除処理ＳＴ４の処理過程を示すフローチャートである。
キー入力時解除処理ＳＴ４は、ＰＣ２の記憶手段６に記憶されたキー入力時解除プログラムを制御手段５が処理することにより実行され、キーボード９２の所定のキーに対する入力操作（ファンクションキーの入力や、複数のキーが同時に入力された場合など）が行われた際に、当該キー入力操作に応じて選択されたコンテンツ領域ＣＡをアクティブ化し、当該コンテンツ領域ＣＡが位置する画像形成領域Ａに対応する画面Ｓの待機状態を解除する処理である。
【００７３】
このキー入力時解除処理ＳＴ４では、図１３に示すように、まず、キーボード９２から、ＰＣ２の操作信号入力部４を介して入力する操作信号の内容を、当該ＰＣ２の主制御部５１を構成するキー入力時解除部５１６２のキー入力判定部５１６２１が判定する（ステップＳＴ４１）。具体的に、キー入力判定部５１６２１は、当該操作信号に、所定の操作信号、すなわち、表示画像Ｔ２中のコンテンツ領域ＣＡの選択状態（アクティブ状態）を切り替える信号が含まれるか否かを判定することで、キーボード９２のキーに対して所定の入力操作が行われたか否かを判定する。
ここで、キー入力判定部５１６２１が、当該所定の操作信号が入力していないと判定した場合には、キー入力時解除部５１６２は、キー入力時解除処理ＳＴ４を終了する。
【００７４】
一方、キー入力判定部５１６２１が、当該所定の操作信号が入力したと判定した場合には、オブジェクト位置取得部５１１のコンテンツ位置取得部５１１２が、使用者の入力操作により選択され、アクティブ化されたコンテンツ領域ＣＡの位置を取得する（ステップＳＴ４２）。
次に、キー入力時解除部５１６２の対象領域設定部５１６２２が、ステップＳＴ４２で取得されたコンテンツ領域ＣＡの位置（座標）から、当該コンテンツ領域ＣＡが含まれるメモリ５３の画像形成領域Ａを対象領域に設定する（ステップＳＴ４３）。ここで、当該コンテンツ領域ＣＡが、複数の画像形成領域Ａに跨る場合には、対象領域設定部５１６２２は、これら複数の画像形成領域Ａを、対象領域に設定する。
【００７５】
この後、対象領域状態判定部５１６２３が、ステップＳＴ４３にて設定された対象領域である画像形成領域Ａに対応する画面Ｓが、待機状態に設定されているか否かを判定する（ステップＳＴ４４）。
ここで、対象領域状態判定部５１６２３が、当該画面Ｓが待機状態に設定されていない、すなわち、当該画面Ｓは既にアクティブであると判定した場合には、キー入力時解除部５１６２は、キー入力時解除処理ＳＴ４を終了する。
【００７６】
一方、対象領域状態判定部５１６２３が、当該画面Ｓが待機状態に設定されていると判定した場合には、対象領域解除部５１６２４は、待機状態が設定されていると判定された画面Ｓの待機状態を解除する（ステップＳＴ４５）。これにより、待機状態に設定されていた画面Ｓで表示されるべき部分画像に係る画像情報の出力が、画像出力部５２により再開され、当該部分画像がプロジェクタ８により表示される。
また、タイマリセット部５１４が、当該画面Ｓに対応する画像形成領域Ａに係る計時部５１５４のタイマをリセットする（ステップＳＴ４６）。
以上により、キー入力時解除処理ＳＴ４が終了する。
【００７７】
〔状態監視処理ＳＴ５〕
次に、状態監視処理ＳＴ５について説明する。
図１４は、画像形成領域Ａ２に位置するポインタＰが、当該画像形成領域Ａ２に対応する画面Ｓ２に隣接し、かつ、待機状態に設定されている画面Ｓ３に対応する画像形成領域Ａ３の緩衝領域ＢＡ内に侵入した状態を示す図である。図１５は、当該ポインタＰが緩衝領域ＢＡを通過した状態を示す図である。また、図１６は、画像形成領域Ａ２に位置するアクティブなコンテンツ領域ＣＡが、当該画像形成領域Ａ２に対応する画面Ｓ２に隣接し、かつ、待機状態に設定されている画面Ｓ３に対応する他の画像形成領域Ａ３内に侵入した状態を示す図である。
状態監視処理ＳＴ５は、オブジェクトの移動軌跡に基づいて、当該オブジェクトの移動先に対応する分割画面に設定されている待機状態を解除する処理である。
【００７８】
この状態監視処理ＳＴ５では、図１４に示すように、ポインタＰが表示された画面Ｓに隣接し、かつ、待機状態に設定されている他の画面Ｓに対応する画像形成領域Ａ（図１４では、画像形成領域Ａ３）における当該ポインタＰが位置する画面に隣接する側の領域に、緩衝領域ＢＡを設定し、図１５に示すように、当該緩衝領域ＢＡをポインタＰが所定回数通過した場合に、当該緩衝領域ＢＡが設定された画像形成領域Ａに対応する画面Ｓの待機状態を解除する。
また、この状態監視処理ＳＴ５では、図１６に示すように、アクティブなコンテンツ領域ＣＡが、待機状態に設定されている他の画面Ｓに対応する画像形成領域Ａ（図１６では、画像形成領域Ａ３）に移動した場合に、当該他の画面Ｓの待機状態を解除する。このようにして、待機状態が解除された他の画面Ｓに表示されるべき部分画像の画像情報は、画像出力部５２により各プロジェクタ８１〜８３に出力される。
このような状態監視処理ＳＴ５は、ＰＣ２の制御手段５が、記憶手段６の状態監視プログラムを読み出すことにより実行される。
【００７９】
図１７は、状態監視処理ＳＴ５の処理過程を示すフローチャートである。
具体的に、状態監視処理ＳＴ５では、図１７に示すように、まず、オブジェクト位置取得部５１１のポインタ位置取得部５１１１及びコンテンツ位置取得部５１１２が、オブジェクトであるポインタＰ及びアクティブなコンテンツ領域ＣＡの位置を、それぞれ取得する（ステップＳＴ５１）。
次に、待機状態解除部５１６のオブジェクト移動時解除部５１６１を構成する対象領域設定部５１６１１が、ポインタＰ及びアクティブなコンテンツ領域ＣＡが含まれる部分画像が表示されている画面Ｓに隣接する画面に対応するメモリ５３の画像形成領域Ａを、対象領域に設定する（ステップＳＴ５２）。
【００８０】
この後、領域状態判定部５１６１２が、対象領域に設定された画像形成領域Ａに対応する画面Ｓが待機状態に設定されているか否かを判定する（ステップＳＴ５３）。
ここで、領域状態判定部５１６１２が、当該画面Ｓは待機状態に設定されていないと判定した場合には、オブジェクト移動時解除部５１６１は、ステップＳＴ５１に戻り、ポインタＰやアクティブなコンテンツ領域ＣＡが移動されることに備える。なお、ステップＳＴ５１に戻ることは、使用者のキーボード９２に対する操作により、アクティブなコンテンツ領域ＣＡが切り替えられることに備えるためである。
一方、領域状態判定部５１６１２が、当該画面Ｓは待機状態に設定されていると判定した場合には、緩衝領域設定部５１６１３が、対象領域である画像形成領域Ａにおいて、ポインタＰ及びアクティブなコンテンツ領域ＣＡが表示されている画面に隣接する側の領域に、前述の緩衝領域ＢＡを設定する（ステップＳＴ５４）。
【００８１】
そして、移動判定部５１６１４が、オブジェクトであるポインタＰ及びコンテンツ領域ＣＡのうち、少なくともいずれかが移動されたか否かを判定する（ステップＳＴ５５）。
この際、移動判定部５１６１４が、ポインタＰ及びコンテンツ領域ＣＡのいずれも移動していないと判定した場合には、移動判定部５１６１４は、ステップＳＴ５１に戻る。なお、前述のキー入力時解除処理ＳＴ４にて示したように、キーボード９２のキーに対する所定の入力操作が行われた場合には、アクティブなコンテンツ領域ＣＡが切り替わったと見做して、ステップＳＴ５１に戻る。
【００８２】
一方、移動判定部５１６１４が、これらオブジェクトが移動されたと判定した場合には、移動オブジェクト判定部５１６１５が、移動されたオブジェクトがポインタＰのみであるのか、あるいは、コンテンツ領域ＣＡを含むかを判定する（ステップＳＴ５６）。そして、移動オブジェクト判定部５１６１５が、ポインタＰのみが移動したと判定した場合には、オブジェクト移動時解除部５１６１は、ポインタ移動時処理ＳＴ６を実行し、コンテンツ領域ＣＡが移動したと判定した場合には、当該オブジェクト移動時解除部５１６１は、コンテンツ移動時処理ＳＴ７を実行する。
【００８３】
〔ポインタ移動時処理ＳＴ６〕
図１８は、ポインタ移動時処理ＳＴ６の処理過程を示すフローチャートである。
ポインタ移動時処理ＳＴ６は、前述のように、移動されたポインタＰが、対象領域に設定された画像形成領域Ａの緩衝領域ＢＡを所定回数通過した場合に、当該画像形成領域Ａに対応する画面Ｓの待機状態を解除する処理である。
このポインタ移動時処理ＳＴ６では、図１８に示すように、まず、オブジェクト移動時解除部５１６１の移動軌跡取得部５１６１６が、ポインタＰの移動軌跡を取得する（ステップＳＴ６１）。
次に、移動範囲判定部５１６１７が、取得されたポインタＰの移動軌跡に基づいて、ステップＳＴ５２にて設定された対象領域である画像形成領域Ａに、当該ポインタＰが侵入したか否かを判定する（ステップＳＴ６２）。ここで、移動範囲判定部５１６１７が、ポインタＰは、当該画像形成領域Ａ内に侵入していないと判定した場合には、オブジェクト移動時解除部５１６１は、ポインタ移動時処理ＳＴ６を終了する。
【００８４】
一方、移動範囲判定部５１６１７が、ポインタＰが対象領域である画像形成領域Ａ内に侵入したと判定した場合には、移動軌跡判定部５１６１８が、当該ポインタＰが、当該画像形成領域Ａに設定された緩衝領域ＢＡを通過したか否かを判定する（ステップＳＴ６３）。ここで、移動軌跡判定部５１６１８が、ポインタＰが当該緩衝領域ＢＡを通過していないと判定した場合には、オブジェクト移動時解除部５１６１は、対象領域に設定された画像形成領域Ａに対応する画面Ｓの待機状態を解除せずに、ポインタ移動時処理ＳＴ６を終了する。
【００８５】
一方、移動軌跡判定部５１６１８が、ポインタＰが緩衝領域ＢＡを通過したと判定した場合には、回数判定部５１６１９は、当該ポインタＰが当該緩衝領域ＢＡを所定回数通過したか否かを判定する（ステップＳＴ６４）。ここで、回数判定部５１６１９が、ポインタＰは緩衝領域ＢＡを所定回数通過していないと判定した場合には、オブジェクト移動時解除部５１６１は、前述の場合と同様に、対象領域に設定された画像形成領域Ａに対応する画面Ｓの待機状態を解除せずに、ポインタ移動時処理ＳＴ６を終了する。
【００８６】
また、回数判定部５１６１９が、ポインタＰが緩衝領域ＢＡを所定回数通過したと判定した場合には、当該緩衝領域ＢＡを有する画像形成領域Ａに対応する画面Ｓに設定されている待機状態を解除する（ステップＳＴ６５）。これにより、当該画面Ｓに表示されるべき部分画像に係る画像情報が、画像出力部５２によりプロジェクタ８に出力され、当該プロジェクタ８により、当該部分画像がスクリーンＳＣ上に表示される。
この後、タイマリセット部５１４が、前述の待機状態設定処理ＳＴ２にて、待機状態設定部５１５の計時部５１５４が有し、かつ、当該画像形成領域Ａに係るタイマをリセットする（ステップＳＴ６６）。
以上により、ポインタ移動時処理ＳＴ６が終了し、オブジェクト移動時解除部５１６１は、状態監視処理ＳＴ５のステップＳＴ５７に移行する。
【００８７】
〔コンテンツ移動時処理ＳＴ７〕
図１９は、コンテンツ移動時処理ＳＴ７の処理過程を示すフローチャートである。
コンテンツ移動時処理ＳＴ７は、ポインタＰにより選択されるなどしてアクティブとなったコンテンツ領域ＣＡが、前述のように、対象領域である画像形成領域Ａ内に侵入した場合に、当該画像形成領域Ａに対応する画面Ｓに設定された待機状態を解除する処理である。
このコンテンツ移動時処理ＳＴ７では、図１９に示すように、まず、移動軌跡取得部５１６１６が、移動されたアクティブなコンテンツ領域ＣＡの移動軌跡を取得する（ステップＳＴ７１）。この後、移動範囲判定部５１６１７が、取得されたコンテンツ領域ＣＡの移動軌跡に基づいて、当該コンテンツ領域ＣＡの少なくとも一部が、ステップＳＴ５２で対象領域に設定された画像形成領域Ａ内に侵入したか否かを判定する（ステップＳＴ７２）。ここで、移動範囲判定部５１６１７が、コンテンツ領域ＣＡが当該画像形成領域Ａ内に侵入していないと判定した場合には、オブジェクト移動時解除部５１６１は、コンテンツ移動時処理ＳＴ７を終了する。
【００８８】
一方、移動範囲判定部５１６１７が、コンテンツ領域ＣＡの少なくとも一部が、対象領域である画像形成領域Ａ内に侵入したと判定した場合には、状態変更部５１６１Ａが、当該画像形成領域Ａに対応する画面Ｓに設定された待機状態を解除する（ステップＳＴ７３）。この後、タイマリセット部５１４が、待機状態設定部５１５の計時部５１５４が有し、かつ、当該画像形成領域Ａに係るタイマをリセットする（ステップＳＴ７４）。
以上により、オブジェクト移動時解除部５１６１は、コンテンツ移動時処理ＳＴ７を終了し、状態監視処理ＳＴ５のステップＳＴ５７に移行する。
【００８９】
図１７に戻り、状態監視処理ＳＴ５のステップＳＴ５７では、オブジェクト移動時解除部５１６１の解除判定部５１６１Ｂが、ポインタ移動時処理ＳＴ６及びコンテンツ移動時処理ＳＴ７を実行したことにより、対象領域に設定された画像形成領域Ａに対応する画面Ｓの待機状態が解除されたか否かを判定する（ステップＳＴ５７）。
ここで、解除判定部５１６１Ｂが、当該画面Ｓの待機状態が解除されたと判定した場合には、メモリ５３上のオブジェクトの位置の取得、及び、対象領域の設定を再度行うべく、ステップＳＴ５１に戻る。
【００９０】
一方、解除判定部５１６１Ｂが、当該画面Ｓの待機状態は解除されていないと判定した場合には、オブジェクト位置取得部５１１により、メモリ５３上のオブジェクトの位置を取得し（ステップＳＴ５８）、この後、オブジェクト移動時解除部５１６１は、ステップＳＴ５３に戻る。
これは、ポインタＰ及びアクティブなコンテンツ領域ＣＡが、当該ポインタＰ及びコンテンツ領域ＣＡが位置していた画像形成領域Ａから移動していない場合、及び、ポインタＰが対象領域である画像形成領域Ａに設定された緩衝領域ＢＡ内にある場合には、対象領域を変更する必要がないためである。特に、ポインタＰが緩衝領域ＢＡ内に位置する場合に、対象領域の画像形成領域Ａが変更されると、ポインタＰが位置する画像形成領域Ａに対応する画面がアクティブな画面として認識され、当該画面Ｓの待機状態が解除されてしまうことを防ぐためである。
【００９１】
以上説明した本実施形態のＭＤＳ１によれば、以下の効果を奏することができる。
すなわち、緩衝領域設定ステップＳＴ５４にて、緩衝領域設定部５１６１３により、ポインタＰが位置する画面Ｓ（ポインタＰが含まれる部分画像が表示される画面Ｓ）に隣接し、かつ、待機状態設定部５１５により待機状態設定処理ＳＴ２にて待機状態に設定された画面Ｓ（画面Ｓ１〜Ｓ３の少なくともいずれか）に対応するメモリ５３の画像形成領域Ａ（画像形成領域Ａ１〜Ａ３の少なくともいずれか）において、ポインタＰが位置する画面Ｓに隣接する側の領域に緩衝領域ＢＡが設定される。そして、マウス９１及びキーボード９２の操作に応じて、オブジェクト移動部５１２のポインタ移動部５１２１により移動されたポインタＰの移動軌跡に基づいて、移動範囲判定部５１６１７及び移動軌跡判定部５１６１８により、当該ポインタＰが、当該緩衝領域ＢＡ内に侵入し、かつ、当該緩衝領域ＢＡを通過したと判定された際に、回数判定ステップＳＴ６３にて、回数判定部５１６１９が、当該ポインタＰが緩衝領域ＢＡを所定回数通過したか否かを判定する。この際、回数判定部５１６１９が、ポインタＰが緩衝領域ＢＡを所定回数通過したと判定した場合には、解除ステップＳＴ６５にて、状態変更部５１６１Ａが、当該緩衝領域ＢＡが設定された画像形成領域Ａに対応する画面Ｓの待機状態を解除する。
【００９２】
これによれば、ポインタＰが、当該ポインタＰが位置していた画面Ｓから、当該画面Ｓに隣接し、かつ、待機状態に設定された他の画面Ｓに移動した際には、当該他の画面Ｓに対応する画像形成領域Ａに設定された緩衝領域ＢＡを所定回数通過した場合に、当該他の画面Ｓの待機状態が解除される。このため、使用者が操作装置であるマウス９１等を僅かに動かしてポインタＰを操作した場合には、当該ポインタＰの移動先の画面Ｓに設定された待機状態は解除されないこととなる。従って、ポインタＰの操作により画面Ｓの待機状態を解除する際には、待機状態に設定された画面Ｓに対応する画像形成領域Ａの緩衝領域ＢＡを所定回数通過するようにポインタＰを操作することが必要となり、このような操作が行われない場合には、当該画面Ｓの待機状態を維持することができる。従って、使用者が意図しないマウス９１等の操作によって画面Ｓの待機状態が解除されることを防ぐことができ、これにより、ＭＤＳ１全体の省電力化を簡易な構成で実現することができる。
【００９３】
また、前述のようなポインタ移動時処理ＳＴ６は、第一オブジェクトとしてのポインタＰが移動した場合に実行される。すなわち、コンテンツ領域ＣＡと違って、表示画像Ｔ２上での移動頻度が高く、かつ、コンテンツ領域ＣＡほどの大きな表示領域を有しないポインタＰが移動した場合に、当該ポインタＰが緩衝領域ＢＡを所定回数通過した場合に、当該緩衝領域ＢＡが設定された画像形成領域Ａに対応する画面Ｓの待機状態が解除される。これによれば、当該使用者が意図せずにポインタＰを移動させてしまった場合でも、移動先の画面Ｓの待機状態を確実に維持することができる。従って、使用者の不意な操作で待機状態が解除され、画面Ｓに部分画像が表示されてしまう煩雑さを解消することができる。
【００９４】
また、第二オブジェクトとしてのコンテンツ領域ＣＡがマウス９１及びキーボード９２の操作に応じて、コンテンツ移動部５１２２により移動された場合には、移動軌跡取得部５１６１６により取得されたコンテンツ領域ＣＡの移動軌跡に基づいて、コンテンツ移動時処理ＳＴ７の移動範囲判定ステップＳＴ７２にて、移動範囲判定部５１６１７により、当該コンテンツ領域ＣＡの一部が、待機状態に設定された画面Ｓに対応する画像形成領域Ａに侵入したか否かが判定される。そして、当該移動範囲判定部５１６１７により、コンテンツ領域ＣＡが当該画像形成領域Ａに侵入したと判定された場合には、第二解除ステップＳＴ７３にて、状態変更部５１６１Ａにより、当該画像形成領域Ａに対応する画面Ｓの待機状態が解除される。
これによれば、所定の表示領域を有するコンテンツ領域ＣＡが、待機状態に設定された画面Ｓ内に移動した場合に、当該画面Ｓの待機状態を解除して当該コンテンツ領域ＣＡを表示することができるので、表示する必要性の高いコンテンツ領域ＣＡの一部が表示されなくなることを防ぐことができる。従って、移動されたコンテンツ領域ＣＡを確実に表示することができる。
【００９５】
また、使用者のキーボード９２に対する操作により、アクティブなコンテンツ領域ＣＡが切り替えられた場合には、当該切り替えられたコンテンツ領域ＣＡの位置が、コンテンツ位置取得部５１１２により取得される。そして、解除ステップＳＴ４５にて、対象領域解除部５１６２４により、当該コンテンツ領域ＣＡが位置する画像形成領域Ａに対応する画面Ｓが待機状態に設定されている場合には、当該画面Ｓの待機状態が解除される。
これによれば、複数のコンテンツ領域ＣＡが表示画像Ｔ２上に位置する場合に、所望のコンテンツ領域ＣＡを容易に切り替えることができるほか、当該コンテンツ領域ＣＡを確実に表示することができる。従って、選択されてアクティブ化されたコンテンツ領域ＣＡを確実に表示することができる。
【００９６】
〔実施形態の変形〕
本発明は前述の実施形態に限定されるものではなく、本発明の目的を達成できる範囲での変形、改良等は本発明に含まれるものである。
前記実施形態では、ＭＤＳ１では、３台のプロジェクタ８１〜８３を備えるとしたが、本発明はこれに限らない。すなわち、本発明のマルチディスプレイシステムは、画像表示装置を複数台（２台以上）備えていれば、台数は問わない。
【００９７】
図２０は、６台のプロジェクタを備えたマルチディスプレイシステムにより構成される画面の一例を示す図である。なお、図２０では、画面Ｓ４１〜Ｓ４６に対応する画像形成領域Ａ４１〜Ａ４６を括弧書きで示している。
例えば、本発明のマルチディスプレイシステムは、図２０に示すように、６画面Ｓ４１〜Ｓ４６を有するマルチディスプレイシステムであってもよく、このような場合には、メモリ５３上に形成した表示画像を画面数に応じて分割し、各部分画像に係る画像情報を画像出力装置であるＰＣ２が出力することで、各画面Ｓ４１〜Ｓ４６が対応する部分画像を表示するように構成すればよい。そして、稼動中の（アクティブな）画面Ｓ（図２０では、画面Ｓ４４，Ｓ４５）に隣接し、かつ、待機状態に設定された画面Ｓ（図２０では、画面Ｓ４１〜Ｓ４３，Ｓ４６）に対応する画像形成領域Ａ４１〜Ａ４３，Ａ４６の画面Ｓ４４，Ｓ４５に隣接する側の領域に、前述の緩衝領域ＢＡを設定することで、ポインタＰが当該緩衝領域ＢＡを所定回数通過した場合に、当該緩衝領域ＢＡが設定された画像形成領域Ａに対応する画面Ｓの待機状態を解除する処理を実行することができる。
【００９８】
前記実施形態では、第一オブジェクトであるポインタＰのみが移動され、かつ、当該ポインタＰが緩衝領域ＢＡを所定回数通過した場合に、当該緩衝領域ＢＡが設定された画像形成領域Ａに対応する画面Ｓの待機状態を解除するとしたが、本発明はこれに限らない。すなわち、第二オブジェクトであるコンテンツ領域ＣＡが待機状態の画面Ｓに対応する画像形成領域Ａに侵入した場合に、即座に当該画面Ｓの待機状態を解除するのではなく、コンテンツ領域ＣＡの少なくとも一部（例えば端縁）が、緩衝領域ＢＡを所定回数通過した場合に、当該画面Ｓの待機状態を解除するように構成してもよい。
【００９９】
前記実施形態では、待機状態設定部５１５は、画像形成領域Ａごとに、ポインタＰ及びアクティブなコンテンツ領域ＣＡが所定時間位置したか否かを判定し、位置しないと判定された画像形成領域Ａに対応する画面Ｓを待機状態に設定したが、本発明はこれに限らない。例えば、ポインタＰ及びアクティブなコンテンツ領域ＣＡが位置する画像形成領域Ａに対応する画面Ｓにおいても、これらポインタＰ及びコンテンツ領域ＣＡが所定時間移動しない場合には、当該画面Ｓを待機状態に設定するようにしてもよい。
【０１００】
前記実施形態では、所定の画面Ｓが待機状態に設定された場合には、当該画面Ｓを形成するプロジェクタ８に対して画像情報を出力しない構成とし、画像表示装置であるプロジェクタ８は、画像情報が所定時間以上入力しない場合には、省電力モードに設定されるとしたが、本発明はこれに限らない。例えば、所定の画面Ｓが待機状態に設定された場合に、ＰＣ２が、当該画面Ｓを形成するプロジェクタ８の電源を直接オフするように構成してもよい。
【０１０１】
前記実施形態では、画像出力装置としてのＰＣ２は、画像表示装置としての各プロジェクタ８に、単一な表示画像Ｔ２を分割した部分画像Ｔ２１〜Ｔ２３に係る画像情報を出力するとしたが、本発明はこれに限らない。すなわち、ＰＣ２は、各プロジェクタ８に、それぞれ異なるコンテンツ領域ＣＡに係る画像の画像情報のみを出力するように構成してもよい。すなわち、ＰＣ２は、区分されたメモリ５３上の画像形成領域ごとに、異なるコンテンツ領域ＣＡの画像を形成し、当該画像の画像情報を、各プロジェクタ８にそれぞれ出力するように構成してもよい。このような場合、１つの画面Ｓに１つのコンテンツ領域ＣＡが表示されることとなる。また、この際、ＰＣ２に設けられた画像表示手段３は、各画像形成領域Ａに形成されたコンテンツ領域ＣＡの画像のうち、いずれかを表示するように構成してもよい。
【０１０２】
前記実施形態では、画像表示装置として、スクリーンＳＣを観察する方向から投射を行なうフロントタイプのプロジェクタ８を例示したが、本発明はこれに限らず、スクリーンを観察する方向とは反対側から投射を行なうリアタイプのプロジェクタでも採用可能である。また、このようなプロジェクタに採用される光変調装置は、液晶を有する光変調装置でも、液晶以外の光変調装置でも採用可能である。さらに、画像表示装置としてプロジェクタ８を例示したが、例えば、液晶、プラズマ、有機ＥＬ及びＣＲＴ等のディスプレイで構成してもよい。
【０１０３】
前記実施形態では、画像出力装置としてＰＣ２を例示したが、本発明はこれに限らず、例えば、ＯＳＤ等のメニュー画面に係る画像情報を出力可能な装置を採用してもよい。このような装置として、ＣＤやＤＶＤ等のディスク型記録媒体に記録された画像情報を再生する再生装置を例示することができる。
【０１０４】
前記実施形態では、前述の各種プログラムは、ＨＤＤを備えて構成された記憶手段６に記憶され、制御手段５により読み出されて実行されるとしたが、本発明はこれに限らない。例えば、前述の各種プログラムは、ＣＤ（Compact Disc）及びＤＶＤ（Digital Versatile Disc）等の光ディスク、磁気ディスク、及びフラッシュメモリ等の半導体メモリ等の記録媒体に記憶され、必要に応じて読み出されるように構成してもよい。すなわち、当該各種プログラムの記録形態は問わない。
【産業上の利用可能性】
【０１０５】
本発明は、複数の画像表示装置と、当該画像表示装置に画像情報を出力する画像出力装置とを備えたマルチディスプレイシステムに、好適に利用することができる。
【図面の簡単な説明】
【０１０６】
【図１】本発明の一実施形態に係るマルチディスプレイシステムの構成を示す図。
【図２】前記実施形態におけるマルチディスプレイシステムの構成を示すブロック図。
【図３】前記実施形態におけるＰＣの画像表示手段に表示される表示画像を示す図。
【図４】前記実施形態におけるプロジェクタにより表示される表示画像を示す図。
【図５】前記実施形態における画像出力部の構成を示すブロック図。
【図６】前記実施形態におけるメモリ上に設定された画像形成領域を示す図。
【図７】前記実施形態における主制御部の構成を示すブロック図。
【図８】前記実施形態における待機状態設定部の構成を示すブロック図。
【図９】前記実施形態における待機状態解除部の構成を示すブロック図。
【図１０】前記実施形態における画像形成領域に設定された緩衝領域を示す図。
【図１１】前記実施形態における画像表示処理の処理過程を示すフローチャート。
【図１２】前記実施形態における待機状態設定処理の処理過程を示すフローチャート。
【図１３】前記実施形態におけるキー入力時解除処理の処理過程を示すフローチャート。
【図１４】前記実施形態におけるポインタが緩衝領域内に侵入した状態を示す図。
【図１５】前記実施形態におけるポインタが緩衝領域を通過した状態を示す図。
【図１６】前記実施形態におけるコンテンツ領域が他の画像形成領域内に侵入した状態を示す図。
【図１７】前記実施形態における状態監視処理の処理過程を示すフローチャート。
【図１８】前記実施形態におけるポインタ移動時処理の処理過程を示すフローチャート。
【図１９】前記実施形態におけるコンテンツ移動時処理の処理過程を示すフローチャート。
【図２０】前記実施形態の変形を示す図。
【符号の説明】
【０１０７】
１…マルチディスプレイシステム、２…ＰＣ（画像出力装置）、８（８１〜８３）…プロジェクタ（画像表示装置）、９１…マウス（操作装置）、９２…キーボード（他の操作装置）、５３…メモリ、５１２…オブジェクト移動部、５１５…待機状態設定部、５１２１…ポインタ移動部（第一オブジェクト移動部）、５１２２…コンテンツ移動部（第二オブジェクト移動部）、５１６１３…緩衝領域設定部、５１６１７…移動範囲判定部、５１６１９…回数判定部、５１６１Ａ…状態変更部（第一解除部，第二解除部，解除部）、５１６２４…対象領域解除部（第三解除部）、Ａ（Ａ１〜Ａ３）…画像形成領域、ＣＡ…コンテンツ領域、Ｐ…ポインタ、Ｓ（Ｓ１〜Ｓ３）…画面、ＳＴ２…待機状態設定処理（待機状態設定ステップ）、ＳＴ５４…緩衝領域設定ステップ、ＳＴ６４…回数判定ステップ、ＳＴ６５…解除ステップ。
【図１】
2008152377.tif 000003
【図２】
2008152377.tif 000004
【図３】
2008152377.tif 000005
【図４】
2008152377.tif 000006
【図５】
2008152377.tif 000007
【図６】
2008152377.tif 000008
【図７】
2008152377.tif 000009
【図８】
2008152377.tif 000010
【図９】
2008152377.tif 000011
【図１０】
2008152377.tif 000012
【図１１】
2008152377.tif 000013
【図１２】
2008152377.tif 000014
【図１３】
2008152377.tif 000015
【図１４】
2008152377.tif 000016
【図１５】
2008152377.tif 000017
【図１６】
2008152377.tif 000018
【図１７】
2008152377.tif 000019
【図１８】
2008152377.tif 000020
【図１９】
2008152377.tif 000021
【図２０】
2008152377.tif 000022